(57)【特許請求の範囲】
【請求項１】
筐体に設けられたコネクタ部と、
前記コネクタ部および外部機器が接続されたことを検出する接続検出部と、
前記外部機器と情報を受け渡し、前記情報を記録する記録部と、
前記接続検出部による接続検出からの累積時間を計測する時間計測部と、
複数種類の記録された音声を報知する音声報知部と、
制御部と、を含み、
前記接続検出部は、電圧オンを検知する電圧検知および前記外部機器との通信状態がサスペンド状態であることを検知する待機検知を含み、
前記累積時間は、前記電圧検知からの累積時間および前記待機検知からの空間の累積時間を含み、
前記制御部は、前記待機検知からの空間の累積時間に応じて前記複数種類の音声のいずれか１つを選択し、前記音声報知部から音声を報知する、記録装置。
【請求項２】
さらに、前記電圧検知からの累積時間に応じて、前記複数種類の音声のいずれか１つを選択し、前記音声報知部から音声を報知する、請求項１に記載の記録装置。
【請求項３】
切り替え部をさらに有し、
前記制御部は、前記切り替え部による切り替えに応じて前記複数種類の音声のうちいずれか１つを選択するパターンを変化させる、請求項１または２に記載の記録装置。
【請求項４】
前記音声報知部は、前記累積時間と前記複数種類の音声のうちいずれか一つまたは複数とを、リンク付けしたテーブルを有する、請求項１から３のいずれか１項に記載の記録装置。
【請求項５】
前記筐体にキャラクターの粘着シートが貼着された、請求項１から４のいずれか１項に記載の記録装置。
【請求項６】
前記筐体は、筐体自体がキャラクターの形状で造形された、請求項１から５のいずれか１項に記載の記録装置。
【請求項７】
前記複数種類の音声は、キャラクターの音声からなる、請求項１から６のいずれか１項に記載の記録装置。
【請求項８】
前記コネクタは、ユニバーサルシリアルバス接続のコネクタからなる、請求項１から７のいずれか１項に記載の記録装置。
【発明の詳細な説明】
【技術分野】
【０００１】
本発明は、記録装置、特にユニバーサルシリアルバスの記録装置（ＵＳＢメモリ）に関する。
【背景技術】
【０００２】
従来から、ユニバーサルシリアルバスの記録装置について種々の開発研究が行われている。
【０００３】
例えば、特許文献１（特開２０１１−３４５７７号公報）には、情報処理装置からの可搬型記憶装置の取り外し忘れを防止できるようにするとともに、可搬型記憶装置の取り扱いの利便性を向上させることについて開示されている。
【０００４】
特許文献１（特開２０１１−３４５７７号公報）記載の可搬型記録装置は、情報処理装置に通信可能に接続するための通信部をそなえた可搬型記憶装置であって、当該可搬型記憶装置が該通信部を介して該情報処理装置に接続されたことを検出する接続検出部と、該接続検出部により該通信部が該情報処理装置に接続されたことを検出してからの、接続状態での経過時間を測定するタイマと、該タイマにより所定時間が経過したことを検出されたときに、該可搬型記憶装置の使用者に警告を行なう警告部と、をそなえることを特徴とするものである。
【先行技術文献】
【特許文献】
【０００５】
【特許文献１】特開２０１１−３４５７７号公報
【発明の概要】
【発明が解決しようとする課題】
【０００６】
以上のように、特許文献１には、可搬型記録装置の取り忘れを防止することができるという効果を奏することが開示されている。
ユニバーサルシリアルバスの記録装置は、従前高額で販売されていた。しかしながら、近年当該記録装置は、低価格で提供されるようになりつつある。その結果、ユーザの利用頻度が高まりユーザの嗜好性に応じた記録装置が望まれている。
【０００７】
本発明の主な目的は、記録装置を使用し始めてからの経過時間を容易に認識することができる記録装置を提供することである。
本発明の他の主な目的は、ユーザの嗜好性に対応しつつ、記録装置を使用し始めてからの経過時間を容易に認識することができる記録装置を提供することである。
【課題を解決するための手段】
【０００８】
（１）
一局面に従う記録装置は、筐体に設けられたコネクタ部と、コネクタ部および外部機器が接続されたことを検出する接続検出部と、外部機器と情報を受け渡し、情報を記録する記録部と、接続検出部による接続検出からの累積時間を計測する時間計測部と、複数種類の記録された音声を報知する音声報知部と、制御部と、を含み、制御部は、時間計測部からの累積時間に応じて複数種類の音声のいずれか１つを選択し、音声報知部から音声を報知するものである。
【０００９】
この場合、累積時間に応じて複数種類の音声のうちいずれか１つを選択して、音声報知部から音声を報知することができる。その結果、ユーザは、記録装置を使用し始めてからの経過時間を容易に認識することができる。
【００１０】
（２）
第２の発明にかかる記録装置は、一局面に従う記録装置において、切り替え部をさらに有し、制御部は、切り替え部による切り替えに応じて複数種類の音声のうちいずれか１つを選択するパターンを変化させてもよい。
【００１１】
この場合、切替部を操作することにより、好みの音声を選択することができる。その結果、ユーザの嗜好性に応じた音声を用いて報知することができる。
【００１２】
（３）
第３の発明にかかる記録装置は、一局面または第２の発明にかかる記録装置において、音声報知部は、累積時間と複数種類の音声のうちいずれか一つまたは複数とを、リンク付けしたテーブルを有してもよい。
【００１３】
この場合、音声報知部は、累積時間と複数種類の音声のうちいずれか一つまたは複数とを、リンク付けしたテーブルを有しているので、ユーザの嗜好に合わせて種々のパターンで音声を報知させることができる。  
【００１４】
（４）
第４の発明にかかる記録装置は、一局面から第３の発明にかかる記録装置において、筐体にキャラクターの粘着シートが貼着されてもよい。
【００１５】
この場合、筐体にキャラクターの粘着シートが貼着されているので、販促効果を高めることができる。また、キャラクターの粘着シートを用いることで、当該キャラクターのファン層に購入意欲を増加させることができる。
なお、ここでのキャラクターには、着ぐるみ、アニメ、漫画、ゲーム、小説、ロゴ、有名人、芸能人、音楽家等、任意のキャラクターが含まれる。
【００１６】
（５）
第５の発明にかかる記録装置は、一局面から第４の発明にかかる記録装置において、筐体は、筐体自体がキャラクターの形状で造形されてもよい。
【００１７】
この場合、筐体自体がキャラクターの形状で造形されていることから、販促効果を高めることができる。また、キャラクターの形状で造形されていることで、当該キャラクターのファン層に購入意欲を増加させることができる。
なお、ここでのキャラクターには、着ぐるみ、アニメ、漫画、ゲーム、小説、ロゴ、有名人、芸能人、音楽家等、任意のキャラクターが含まれる。
【００１８】
（６）
第６の発明にかかる記録装置は、一局面から第５の発明にかかる記録装置において、複数種類の音声は、キャラクターの音声からなってもよい。
【００１９】
この場合、複数種類の音声は、キャラクターの音声からなるので、販促効果を高めることができる。また、キャラクターの音声からなることで、当該キャラクターのファン層に購入意欲を増加させることができる。
なお、ここでのキャラクターには、着ぐるみ、アニメ、漫画、ゲーム、小説、ロゴ、有名人、芸能人、音楽家等、任意のキャラクターが含まれるものである。
【００２０】
（７）
第７の発明にかかる記録装置は、一局面から第６の発明にかかる記録装置において、コネクタは、ユニバーサルシリアルバス接続のコネクタからなってもよい。
【００２１】
この場合、記録装置は、ユニバーサルシリアルバス接続の記録装置（ＵＳＢ）からなる。その結果、ユーザの嗜好性を高めた記録装置（ＵＳＢ）を提供することができる。
【図面の簡単な説明】
【００２２】
【図１】本実施の形態にかかるユニバーサルシリアルバスの記録装置の内部構造の一例を示す模式図である。
【図２】メモリ部に記録されたリンクテーブルの一例を示す模式図である。
【図３】ＵＳＢメモリの制御部の動作の一例を示すフローチャートである。
【図４】メモリ部に記録されたリンクテーブルの一例を示す模式図である。
【図５】ＵＳＢメモリの制御部の動作の一例を示すフローチャートである。
【図６】メモリ部に記録されたリンクテーブルの一例を示す模式図である。
【図７】ＵＳＢメモリの制御部の動作の一例を示すフローチャートである。
【図８】ＵＳＢメモリの制御部の動作の一例を示すフローチャートである。
【図９】第４の実施の形態にかかるＵＳＢメモリの内部構造の一例を示す模式図である。
【図１０】第５の実施の形態にかかるＵＳＢメモリの内部構造の一例を示す模式図である。
【図１１】メモリ部に記録されたリンクテーブルの一例を示す模式図である。
【図１２】第６の実施の形態にかかるＵＳＢメモリの内部構造の一例を示す模式図である。
【図１３】メモリ部に記録されたリンクテーブルの他の例を示す模式図である。
【発明を実施するための形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
（第１の実施形態）
図１は、本実施の形態にかかるユニバーサルシリアルバスの記録装置（以下、ＵＳＢメモリと呼ぶ。）の内部構造の一例を示す模式図である。
なお、本実施例ではパーソナルコンピュータ等への接続に使用するインターフェイスとしてＵＳＢを使用しているが、例えばＬｉｇｈｔｎｉｎｇインターフェイスなどであっても良く、ＵＳＢに限定されない。
【００２５】
図１に示すように、ＵＳＢメモリ１００は、コネクタ部２００、音声再生部３００、記録部４００および制御部５００を含む。
コネクタ部２００は、ＵＳＢメモリ１００の筐体から一部突出して形成される。コネクタ部２００は、ＵＳＢ−Ａ、ＵＳＢ−Ｂ、ｍｉｎｉＡ、ｍｉｎｉＢ、ＭｉｃｒｏＡ、ＭｉｃｒｏＢ、ＵＳＢ  Ｔｙｐｅ−Ｃのいずれか１つから形成されてもよい。
また、本実施の形態にかかる筐体は、アニメのキャラクターの外形の形状からなる。また、当該アニメのキャラクターのシールが貼り付けられている。
記録部４００は、例えばフラッシュメモリ、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、ＯＤＤ（Ｏｐｔｉｃａｌ  Ｄｉｓｋ  Ｄｒｉｖｅ）である。
【００２６】
また、音声再生部３００は、スピーカ３１０、音声１データ６１０、音声２データ６２０、音声３データ６３０、および音声４データ６４０を含む。
音声１データ６１０、音声２データ６２０、音声３データ６３０、および音声４データ６４０は、個々に異なる音声データからなる。具体的に音声再生部３００は、マイコン付き音声ＩＣ等からなる。
【００２７】
制御部５００は、中央演算処理装置（以下、ＣＰＵと呼ぶ。）部５１０、メモリ部５２０、インターフェイス（以下、ＩＦと呼ぶ。）部５３０、電圧検知部５４０、および時間計測部５５０を含む。
メモリ部５２０には、時間計測部５５０の「累積時間情報」および音声再生部３００の「音声１データ６１０、音声２データ６２０、音声３データ６３０、および音声４データ６４０」がリンク付け（関連付け）され、リンクテーブルとして記録されている。リンクテーブルの詳細については、後述する。
【００２８】
コネクタ部２００と制御部５００のＩＦ部５３０とは、ＵＳＢ信号を送受信するラインで接続される。ＩＦ部５３０は、情報の送受だけでなく、情報の送受信状態および通信規格の状態を監視する。
また、コネクタ部２００と制御部５００とは、電源ライン（Ｖｂｕｓ）で接続される。電源ライン（Ｖｂｕｓ）は第１分岐部Ａを有し、電源ライン（Ｖｂｕｓ）は第１分岐部Ａで分岐して、音声再生部３００に接続される。
【００２９】
また、電源ライン（Ｖｂｕｓ）は第２分岐部Ｂを有し、電源ライン（Ｖｂｕｓ）は第２分岐部Ｂで分岐して、電圧検知部５４０に接続される。
電圧検知部５４０は、電源ライン（Ｖｂｕｓ）の電圧を監視する。
【００３０】
図２は、メモリ部５２０に記録されたリンクテーブルの一例を示す模式図である。
図２に示すように、メモリ部５２０に記録されたリンクテーブル５２１には、「累積時間１秒」と「音声１データ６１０」とがリンク付けされ、「累積時間１分」と「音声２データ６２０」とがリンク付けされ、「累積時間１時間」と「音声３データ６３０」とがリンク付けされ、「累積時間８時間」と「音声４データ６４０」とがリンク付けされる。
【００３１】
図３は、ＵＳＢメモリ１００の制御部５００の動作の一例を示すフローチャートである。
【００３２】
コネクタ部２００が、パーソナルコンピュータ等に接続される。この場合、コネクタ部２００に対してパーソナルコンピュータから電源が供給される。その結果、電圧が、コネクタ部２００から電源（Ｖｂｕｓ）ラインおよび分岐部Ｂを介して電圧検知部５４０に入力される。
【００３３】
制御部５００の電圧検知部５４０は、電源（Ｖｂｕｓ）ラインからの電圧を検知する。制御部５００は、電圧検知部５４０による検知結果がオンであることを認識する（ステップＳ１）。
次に、制御部５００は、ステップＳ１の処理の後、時間計測部５５０に計測開始を指示する（ステップＳ２）。時間計測部５５０は、計測を開始し、累積時間を保持する。
【００３４】
制御部５００は、時間計測部５５０の累積時間を確認し（ステップＳ３）、所定の累積時間か否かを判定する（ステップＳ４）。ここで、所定の時間とは、リンクテーブル５２１における予め規定された累積時間を意味する。
ここで、所定の累積時間である（ステップＳ４のＹｅｓ）と判定した場合、制御部５００は、メモリ部５２０のリンクテーブル５２１に基づいて、いずれか１つの音声再生指示を音声再生部３００へ、与える（ステップＳ７）。
音声再生部３００は、制御部５００からの音声再生指示に従い、スピーカ３１０から音声１データ６１０、音声２データ６２０、音声３データ６３０、および音声４データ６４０のうちからリンクテーブル５２１に相当する１つの音声を出力させる（ステップＳ８）。
【００３５】
一方、所定の累積時間でない（ステップＳ４のＮｏ）と判定した場合、制御部５００は、ＩＦ部５３０を用いて記録部４００に記録された情報を、ＵＳＢラインおよびコネクタ部２００を介してパーソナルコンピュータ側へ提供したり（ステップＳ５）、制御部５００は、ＵＳＢラインおよびコネクタ部２００を介してパーソナルコンピュータからＩＦ部５３０を用いて記録部４００へ情報を記録（ステップＳ６）したりする。
【００３６】
以上のように、ＵＳＢメモリ１００においては、所定の累積時間が１秒の場合、「さーて、がんばろう」、「ファイトー」等の音声１データ６１０の音を報知させることができる。次に、所定の累積時間が１分の場合、「次は、１時間経ったらお知らせするね〜」等の音声２データ６２０の音を報知させることができる。
【００３７】
次いで、所定の累積時間が１時間の場合、「そろそろ、休憩しませんか〜」等の音声３データ６３０の音を報知させることができる。最後に、所定の累積時間が８時間の場合、「残業、がんばりましょう」等の音声４データ６４０の音を報知させることができる。
【００３８】
（第２の実施の形態）
次に、第２の実施の形態について説明を行う。第２の実施の形態にかかるＵＳＢメモリ１００の説明においては、第１の実施の形態にかかるＵＳＢメモリ１００と異なる点について主に説明を行う。
【００３９】
第１の実施の形態にかかるＵＳＢメモリ１００においては、電圧検知部５４０の電圧オンを検知した場合に累積時間の計測を開始することとしているが、第２の実施の形態にかかるＵＳＢメモリ１００においては、ＩＦ部５３０の通信状態がサスペンド状態などの省電力モード（空間の時間）を検知した場合に、空間の累積時間の計測を開始するものである。
【００４０】
図４は、メモリ部５２０に記録されたリンクテーブルの一例を示す模式図である。
図４に示すように、メモリ部５２０に記録されたリンクテーブル５２２には、「空間の累積時間１秒」と「音声１１データ６１１」とがリンク付けされ、「空間の累積時間３分」と「音声１２データ６２１」とがリンク付けされ、「空間の累積時間１時間」と「音声１３データ６３１」とがリンク付けされ、「空間の累積時間２時間」と「音声１４データ６４１」とがリンク付けされる。
【００４１】
図５は、ＵＳＢメモリ１００の制御部５００の動作の一例を示すフローチャートである。
【００４２】
コネクタ部２００が、パーソナルコンピュータ等に接続される。この場合、コネクタ部２００に対してパーソナルコンピュータから電源が供給される。
【００４３】
制御部５００は、ＩＦ部５３０による送受信がオフ（省電力モード）であることを認識する（ステップＳ１１）。
次に、制御部５００は、ステップＳ１１の処理の後、時間計測部５５０に計測開始を指示する（ステップＳ１２）。時間計測部５５０は、計測を開始し、空間の累積時間を保持する。
【００４４】
さらに、制御部５００は、時間計測部５５０の空間の累積時間を確認し（ステップＳ１３）、空間の累積時間か否かを判定する（ステップＳ１４）。ここで、空間の累積時間とは、リンクテーブル５２２における予め規定された空間の累積時間を意味する。
【００４５】
ここで、空間の累積時間であると判定した場合（ステップＳ１４のＹｅｓ）、制御部５００は、メモリ部５２０のリンクテーブル５２２に基づいて、いずれか１つの音声再生指示を音声再生部３００へ、与える（ステップＳ１５）。
音声再生部３００は、制御部５００からの音声再生指示に従い、スピーカ３１０から音声１１データ６１１、音声１２データ６２１、音声１３データ６３１、および音声１４データ６４１のうちからリンクテーブル５２２に相当する１つの音声を出力させる（ステップＳ１６）。
【００４６】
ここで、空間の累積時間でないと判定した場合（ステップＳ１４のＮｏ）、制御部５００は、ステップＳ１７の処理へ移動する。
【００４７】
制御部５００は、ステップＳ１６の処理の後、ＩＦ部５３０による送受信がオフを維持しているか否かを判定する（ステップＳ１７）。ＩＦ部５３０による送受信がオフを維持している場合（ステップＳ１７のＹｅｓ）、制御部５００は、ステップＳ１３の処理からステップＳ１６の処理を繰り返し行う。
一方、ＩＦ部５３０による送受信がオフを維持していない場合（ステップＳ１７のＮｏ）、制御部５００は、処理を終了する。
【００４８】
以上のように、ＵＳＢメモリ１００においては、空間の累積時間が１秒の場合、「続けて、がんばろう」、「ファイトー」等の音声１１データ６１１の音を報知させることができる。次に、空間の累積時間が３分の場合、「次は、１時間経ったらお知らせするね〜」または「カップラーメンの３分がたちましたよ」等の音声１２データ６２１の音を報知させることができる。
【００４９】
次いで、空間の累積時間が１時間の場合、「そろそろ、仕事しましょう〜」等の音声１３データ６３１の音を報知させることができる。最後に、空間の累積時間が２時間の場合、「抜き忘れていませんか〜？」等の音声４データ６４１の音を報知させることができる。
【００５０】
（第３の実施の形態）
第３の実施の形態においては、第１の実施の形態におけるＵＳＢメモリ１００と第２の実施の形態におけるＵＳＢメモリ１００とを交互に実施する。以下、詳細に説明を行う。また、時間計測部５５０は、２個の時間計測部を内蔵する。第３の実施の形態においては、第１の実施の形態における累積時間を第１累積時間と呼び、第２の実施の形態における空間の累積時間を第２累積時間と呼ぶ。
【００５１】
図６は、メモリ部５２０に記録されたリンクテーブルの一例を示す模式図である。
図６に示すように、メモリ部５２０に記録されたリンクテーブル５２３には、「累積時間１秒」と「音声１データ６１０」とがリンク付けされ、「空間の累積時間３分」と「音声１２データ６２１」とがリンク付けされ、「累積時間１時間」と「音声３データ６３０」とがリンク付けされ、「空間の累積時間２時間」と「音声１４データ６４１」とがリンク付けされる。
【００５２】
図７および図８は、ＵＳＢメモリ１００の制御部５００の動作の一例を示すフローチャートである。
【００５３】
コネクタ部２００が、パーソナルコンピュータ等に接続される。この場合、コネクタ部２００に対してパーソナルコンピュータから電源が供給される。その結果、電圧が、コネクタ部２００から電源（Ｖｂｕｓ）ラインおよび分岐部Ｂを介して電圧検知部５４０に入力される。
【００５４】
制御部５００の電圧検知部５４０は、電源（Ｖｂｕｓ）ラインからの電圧を検知する。制御部５００は、電圧検知部５４０による検知結果がオンであることを認識する（ステップＳ１）。
次に、制御部５００は、ステップＳ１の処理の後、時間計測部５５０に第１計測開始を指示する（ステップＳ２ａ）。時間計測部５５０は、計測を開始し、第１累積時間を保持する。
【００５５】
制御部５００は、時間計測部５５０の累積時間を確認し（ステップＳ３）、所定の累積時間か否かを判定する（ステップＳ４）。ここで、所定の時間とは、リンクテーブル５２３における予め規定された累積時間を意味する。
【００５６】
ここで、所定の累積時間である（ステップＳ４のＹｅｓ）と判定した場合、制御部５００は、メモリ部５２０のリンクテーブル５２３に基づいて、いずれか１つの音声再生指示を音声再生部３００へ、与える（ステップＳ７）。
音声再生部３００は、制御部５００からの音声再生指示に従い、スピーカ３１０から音声１データ６１０、音声２データ６２０、音声３データ６３０、および音声４データ６４０のうちからリンクテーブル５２３に相当する１つの音声を出力させる（ステップＳ８）。
【００５７】
一方、所定の累積時間でない（ステップＳ４のＮｏ）と判定した場合、ステップＳ１１の処理へ移行する。
制御部５００は、ＩＦ部５３０による送受信がオフであるか判定する（ステップＳ１１）。ＩＦ部５３０による送受信がオフでないと判定された場合（ステップＳ１１のＮｏ）、制御部５００は、ステップＳ３の処理に戻り処理を繰り返す。
一方、ＩＦ部５３０による送受信がオフであると判定された場合（ステップＳ１１のＹｅｓ）、制御部５００は、時間計測部５５０に第２計測開始を指示する（ステップＳ１２ａ）。時間計測部５５０は、計測を開始し、空間の累積時間を保持する。
【００５８】
さらに、制御部５００は、時間計測部５５０の空間の累積時間を確認し（ステップＳ１３）、空間の累積時間か否かを判定する（ステップＳ１４）。ここで、空間の累積時間とは、リンクテーブル５２３における予め規定された空間の累積時間を意味する。
【００５９】
ここで、空間の累積時間であると判定した場合（ステップＳ１４のＹｅｓ）、制御部５００は、メモリ部５２０のリンクテーブル５２３に基づいて、いずれか１つの音声再生指示を音声再生部３００へ、与える（ステップＳ１５）。
音声再生部３００は、制御部５００からの音声再生指示に従い、スピーカ３１０から音声１１データ６１１、音声１２データ６２１、音声１３データ６３１、および音声１４データ６４１のうちからリンクテーブル５２３に相当する１つの音声を出力させる（ステップＳ１６）。
【００６０】
ここで、空間の累積時間でないと判定した場合（ステップＳ１４のＮｏ）、制御部５００は、ＩＦ部５３０による送受信がオフであるか判定する（ステップＳ１７）。ＩＦ部５３０による送受信がオフであると判定された場合（ステップＳ１７のＹｅｓ）、制御部５００は、ステップＳ１３の処理に戻り処理を繰り返す。
【００６１】
一方、ＩＦ部５３０による送受信がオンであると判定された場合（ステップＳ１７のＮｏ）、制御部５００は、ステップＳ３の処理に戻り処理を繰り返す。
【００６２】
以上のように、電圧検知がオンの累積時間またはＩＦ部がオフの空間の累積時間に応じて種々の音声を出力することができるので、ユーザは、音声を楽しむことができる。
なお、本実施の形態においては、第１計測と第２計測とを用いることとしているが、これに限定されず、計測部が１の計測のみ実施するようにさせてもよい。その場合、累積時間は、所定の累積時間が経過するまで、他の累積時間を計測させないようにしてもよい。
【００６３】
（第４の実施の形態）
図９は、第４の実施の形態にかかるＵＳＢメモリ１００ａの内部構造の一例を示す模式図である。以下、図１のＵＳＢメモリ１００と異なる点について説明を行う。
図９に示した第４の実施の形態にかかるＵＳＢメモリ１００ａは、第１の実施の形態にかかる図１のＵＳＢメモリ１００に、さらに電池部７００および逆流防止回路７５０を備えたものである。
【００６４】
図９に示すように、コネクタ部２００と制御部５００とを接続する電源ライン（Ｖｂｕｓ）に第１分岐部Ａ、第２分岐部Ｂ、第３分岐部Ｃ、第４分岐部Ｄが設けられる。
コネクタ部２００側から制御部５００部側にかけて、第２分岐部Ｂ、逆流防止回路７５０、第３分岐部Ｃ、第４分岐部Ｄ、第１分岐部Ａの順で設けられる。
【００６５】
電源ライン（Ｖｂｕｓ）は、第２分岐部Ｂで分岐して、電圧検知部５４０に接続される。また、逆流防止回路７５０は、電源ラインの逆流を防止する。
次に、第３分岐部Ｃおよび分岐部Ｄに電池部７００が設けられる。
電池部７００は、充電回路７１０、逆流防止回路７２０、および電池７３０を含む。
第３分岐部Ｃから充電回路７１０、電池７３０、逆流防止回路７２０から第４分岐部Ｄに接続される。
【００６６】
制御部５００は、電圧検知部５４０において電圧がオフされた場合、電池部７００の電池７３０からの電力を利用して、音声再生部３００の音声１データ６１０，〜，音声４データ６４０のいずれか１つを再生させることができる。
具体的に、電圧がオフされたと判定し、１秒後に、「おつかれさまでした」と音声４データ６４０を再生させることができる。
【００６７】
（第５の実施の形態）
図１０は、第５の実施の形態にかかるＵＳＢメモリ１００ｂの内部構造の一例を示す模式図である。以下、図１のＵＳＢメモリ１００と異なる点について説明を行う。
図１０に示した第５の実施の形態にかかるＵＳＢメモリ１００ｂは、第１の実施の形態にかかる図１のＵＳＢメモリ１００の音声再生部３００の音声１データ６１０，〜，音声４データ６４０の代わりに、音声再生部３００の音声１ａデータ６５０、音声１ｂデータ６５１、音声１ｃデータ６５２、音声２ａデータ６６０、音声２ｂデータ６６１、音声２ｃデータ６６２、・・・を含む。
【００６８】
図１０に示すＵＳＢメモリ１００ｂでは、リンクテーブル５２１、５２２、５２３のように１個の累積時間に対して個々の音声データをリンク付けするのではなく、１個の累積時間に対して複数の音声データをリンク付けしたものである。
【００６９】
図１１は、メモリ部５２０に記録されたリンクテーブルの一例を示す模式図である。
図１１に示すように、メモリ部５２０に記録されたリンクテーブル５２４には、「累積時間１秒」と「音声１ａデータ６５０、音声１ｂデータ６５１、音声１ｃデータ６５２」とがリンク付けされ、「累積時間１分」と「音声２ａデータ６６０、音声２ｂデータ６６１、音声２ｃデータ６６２」とがリンク付けされる。
【００７０】
図１０および図１１に示すＵＳＢメモリ１００ｂの制御部５００は、「累積時間１秒」の場合に、「音声１ａデータ６５０」、「音声１ｂデータ６５１」、「音声１ｃデータ６５２」のいずれかをランダムに再生する。具体的には、乱数に応じて「音声１ａデータ６５０」、「音声１ｂデータ６５１」、「音声１ｃデータ６５２」を再生させても良い。
【００７１】
（第６の実施の形態）
図１２は、第６の実施の形態にかかるＵＳＢメモリ１００ｃの内部構造の一例を示す模式図であり、図１３はメモリ部に記録されたリンクテーブルの他の例を示す模式図である。以下、図１のＵＳＢメモリ１００と異なる点について説明を行う。
図１２に示した第６の実施の形態にかかるＵＳＢメモリ１００ｃは、第１の実施の形態にかかる図１のＵＳＢメモリ１００の構成に、スイッチ８００を設けたものである。
また、第６の実施の形態にかかるＵＳＢメモリ１００ｃは、第１の実施の形態にかかる図１のＵＳＢメモリ１００の音声再生部３００の音声１データ６１０，〜，音声４データ６４０の代わりに、音声再生部３００の音声セット１データ６７０、音声セット２データ６８０を含む。
【００７２】
図１２に示すＵＳＢメモリ１００ｃのスイッチ８００は、筐体の外側に設けられている。そのため、ユーザがスイッチの状態１、状態２の２個の状態に切り換え可能なものである。なお、状態の数は２個に限定されない。
メモリ部５２０には、音声セット１データ６７０、音声セット２データ６８０が記録されている。
【００７３】
図１３のリンクテーブル５２５に示すとおり、音声セット１データ６７０には、スイッチ８００の状態１の場合に選択される音声１ａ、１ｂ、１ｃデータが含まれ、音声セット２データ６８０には状態２の場合に選択される音声２ａ、２ｂ、２ｃデータとが含まれる。
【００７４】
その結果、ユーザがスイッチ８００の状態１、状態２を選択することで、再生される音声を選択することができる。
【００７５】
以上のように、ＵＳＢメモリ１００、１００ａ、１００ｂ、１００ｃは、累積時間に応じて複数種類の音声のうちいずれか１つを選択して、スピーカ３１０から音声を報知することができる。その結果、ユーザはＵＳＢメモリ１００，〜，１００ｃを使用し始めてからの経過時間を容易に認識することができる。
【００７６】
また、スイッチ８００を操作することにより、好みの音声を選択することができる。その結果、ユーザの嗜好性に応じた音声を用いて報知することができる。
さらに、リンクテーブル５２１，５２２，５２３，５２４、５２５を有しているので、ユーザの嗜好に合わせて種々のパターンで音声を報知させることができる。その結果、ユーザの嗜好性を高めたＵＳＢメモリ１００，〜，１００ｃを提供することができる。
【００７７】
また、ＵＳＢメモリ１００，〜，１００ｃの使用時間、すなわち累積時間が長時間になった場合、例えば、１００時間使用した場合に、「長時間使っていただきありがとうございます。」等、ＵＳＢメモリ１００，〜，１００ｃの製造元から感謝の意を報知させてもよい。
さらに、例えば、１００時間使用した場合に、予め記録部に記録されたパスワードを報知可能な構成としても良い。その結果、ユーザは、製造元のホームページにアクセスし、報知されたパスワードを入力し、製造元が実施しているプレゼント応募等に申請することができる。
また、累積時間は、ユーザがＵＳＢメモリ１００、〜１００ｃをパーソナルコンピュータ等へ接続して使用した全ての時間を合計する構成としても良いし、ＵＳＢメモリ１００、〜、１００ｃへの電源がＯＦＦされた際にリセットされる構成としても良い。その場合は、ＵＳＢメモリ１００，〜１００ｃへ電源がＯＮされると、毎回所定の時間で同じ音声を再生することができる。
さらに、ＵＳＢメモリ１００、〜、１００ｃへ電源がＯＮされてからの累積時間を１とし、ＵＳＢメモリ１００、〜、１００ｃへの電源がＯＦＦされた際にリセットされる累積時間を２として、それぞれ管理する構成としても良い。
【００７８】
本発明においては、コネクタ部２００が「コネクタ部」に相当し、電圧検知部５４０、またはＩＦ部５３０が「接続検出部」に相当し、記録部４００またはメモリ部５２０が「記録部」に相当し、時間計測部５５０が「時間計測部」に相当し、メモリ部５２０が「複数種類の音声を記録」に相当し、音声再生部３００およびスピーカ３１０が「音声報知部」に相当し、制御部５００、ＣＰＵ部５１０が「制御部」に相当し、音声１データ６１０、音声２データ６２０、音声３データ６３０、音声４データ６４０、音声１１データ６１１、音声１２データ６２１、音声１３データ６３１、音声１４データ６４１、音声１ａデータ６５０、音声１ｂデータ６５１、音声１ｃデータ６５２、音声２ａデータ６６０、音声２ｂデータ６６１、音声２ｃデータ６６２、音声セット１データ６７０、音声セット２データ６８０が「複数種類の音声」に相当し、ＵＳＢメモリ１００、１００ａ、１００ｂ、１００ｃが「記録装置」に相当し、スイッチ８００が「切り替え部」に相当し、リンクテーブル５２１、５２２、５２３、５２４、５２５が「リンク付けしたテーブル」に相当する。
【００７９】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８０】
１００、１００ａ、１００ｂ、１００ｃ  ＵＳＢメモリ
２００  コネクタ部
３００  音声再生部
３１０  スピーカ
４００  記録部
５００  制御部
５２０  メモリ部
５２１、５２２、５２３、５２４、５２５  リンクテーブル
５３０  ＩＦ部
５４０  電圧検知部
５５０  時間計測部
６１０  音声１データ
６１１  音声１１データ
６２０  音声２データ
６２１  音声１２データ
６３０  音声３データ
６３１  音声１３データ
６４０  音声４データ
６４１  音声１４データ
６５０  音声１ａデータ
６５１  音声１ｂデータ
６５２  音声１ｃデータ
６６０  音声２ａデータ
６６１  音声２ｂデータ
６６２  音声２ｃデータ
６７０  音声セット１データ
６８０  音声セット２データ
８００  スイッチ
【図１】
0006615042.tif 000002
【図２】
0006615042.tif 000003
【図３】
0006615042.tif 000004
【図４】
0006615042.tif 000005
【図５】
0006615042.tif 000006
【図６】
0006615042.tif 000007
【図７】
0006615042.tif 000008
【図８】
0006615042.tif 000009
【図９】
0006615042.tif 000010
【図１０】
0006615042.tif 000011
【図１１】
0006615042.tif 000012
【図１２】
0006615042.tif 000013
【図１３】
0006615042.tif 000014